(57)【要約】【課題】圧接端子を用いて電線との電気的接続を得るものにあって、圧接端子のスロットに電線を嵌合させる際に、電線の導体の一部が分離して落ちることを効果的に防止する。【解決手段】電子装置（１）は、導体（１０）の外周に絶縁被覆（１１）を備える電線（８）と、２つの梁部（１３、１４）によってスロット（１２）を形成する圧接端子（９）とからなる接続部（７）を備える。圧接端子（９）は、スロット（１２）の入口側から奥部に向けて、幅広の導入部（１５）、電線（８）の絶縁被覆（１１）を削り取るための剥離部（１６）、電線（８）を挟持する固定部（１７）を順に有し、電線（８）は、その途中部が、スロット（１２）に相対的に挿入されることにより、電気的に接続される。剥離部（１６）においては、各梁部（１３、１４）の内面の電線（８）に接触する接触部（１６ａ）の厚み寸法が、電線（８）の挿入方向奥方に向けて次第に大きくなる。【選択図】図１
2020161469.tif 000002
【特許請求の範囲】
【請求項１】
導体（１０）の外周に絶縁被覆（１１）を備える電線（８）と、
対向する２つの梁部（１３、１４、７２、７３）を有しそれら梁部（１３、１４、７２、７３）によって前記電線（８）が嵌合されるスロット（１２、７４）を形成する圧接端子（９、３１、４１、６１、７１）とからなる接続部（７、３５、５１）を備える電子装置であって、
前記圧接端子（９、３１、４１、６１、７１）は、前記スロット（１２、７４）の入口側から奥部に向けて、幅広の導入部（１５、７５）、前記電線（８）の絶縁被覆（１１）を削り取るための剥離部（１６、２１、３２、４２、６２、７６）、該電線（８）を挟持する固定部（１７、３３、６３、７７）を順に有し、該電線（８）は、その途中部が、該スロット（１２、７４）の入口側から奥方に相対的に挿入されることにより、該圧接端子（９、３１、４１、６１、７１）に電気的に接続されるように構成されていると共に、
前記剥離部（１６、２１、３２、４２、６２、７６）においては、前記各梁部（１３、１４、７２、７３）の内面の前記電線（８）に接触する接触部（１６ａ、２１ａ、３２ａ、４２ａ、６２ａ、７６ａ）の厚み寸法が、前記電線（８）の挿入方向奥方に向けて次第に大きくなるように構成されている電子装置。
【請求項２】
前記剥離部（１６、２１、３２、４２、６２、７６）は、対向する前記梁部（１３、１４、７２、７３）間において平行に設けられている請求項１記載の電子装置。
【請求項３】
前記圧接端子（９、３１、４１、６１、７１）は、前記剥離部（１６、３２、４２、６２、７６）の接触部（１６ａ、３２ａ、４２ａ、６２ａ、７６ａ）が、厚み方向の両側のうち一方の辺部が、前記圧接端子（９、３１、４１、６１、７１）のいずれかの面と一致した状態で直線状に延びている請求項１又は２記載の電子装置。
【請求項４】
前記圧接端子（９、３１、４１、６１、７１）は、前記剥離部（２１）の接触部（２１ａ）が、厚み方向の両方の辺部が、前記圧接端子（９、３１、４１、６１、７１）の面と不一致の状態で直線状に延びている請求項１又は２記載の電子装置。
【請求項５】
前記圧接端子（３１、４１）は、前記各梁部（１３、１４）の固定部（３３）のうち、前記剥離部（３２、４２）の接触部（３２ａ、４２ａ）の前記一方の辺部とは反対側の辺部に連なる稜部が、面取りされている請求項３記載の電子装置。
【請求項６】
前記圧接端子（９、３１）は、前記剥離部（１６、３２）の接触部（１６ａ、３２ａ）のうち、前記圧接端子（９、３１）のいずれかの面と一致した状態で直線状に延びている辺部が、両側の梁部（１３、１４）において厚み方向の同じ方向に夫々設けられている請求項３又は５記載の電子装置。
【請求項７】
前記圧接端子（４１）は、前記剥離部（４２）の接触部（４２ａ）のうち、前記圧接端子（４１）のいずれかの面と一致した状態で直線状に延びている辺部が、両側の梁部（１３、１４）において厚み方向の異なる方向に夫々設けられている請求項３又は５記載の電子装置。
【請求項８】
前記接続部（５１）においては、前記圧接端子（４１）の厚み方向に対して、前記電線（８）の延びる方向が傾斜を有している請求項７記載の電子装置。
【請求項９】
前記圧接端子（９）は、前記剥離部（１６）の接触部（１６ａ）のうちどちらかの辺部と、その辺部に連続する前記固定部（１７）の辺部とが、一直線上に延びて配置されている請求項１から８のいずれか一項に記載の電子装置。
【請求項１０】
前記圧接端子（６１）は、前記剥離部（６２）の接触部（６２ａ）の奥端部の幅寸法よりも、前記固定部（６３）の幅寸法の方が小さく構成されている請求項１から９のいずれか一項に記載の電子装置。
【請求項１１】
前記圧接端子（７１）は、前記剥離部（７６）の接触部（７６ａ）の表面が、前記固定部（７７）の内面よりも硬質に構成されている請求項１から１０のいずれか一項に記載の電子装置。
【請求項１２】
対向する２つの梁部（１３、１４、７２、７３）を有しそれら梁部（１３、１４、７２、７３）によって形成されるスロット（１２、７４）に、導体（１０）の外周に絶縁被覆（１１）を備える電線（８）が嵌合されることにより、電子装置の接続部（７、３５、５１）を構成する圧接端子であって、
前記スロット（１２、７４）の入口側から奥部に向けて、幅広の導入部（１５、７５）、前記電線（８）の絶縁被覆（１１）を削り取るための剥離部（１６、２１、３２、４２、６２、７６）、該電線（８）を挟持する固定部（１７、３３、６３、７７）を順に有し、該電線（８）は、その途中部が、該スロット（１２、７４）の入口側から奥方に相対的に挿入されることにより、該圧接端子（９、３１、４１、６１、７１）に電気的に接続されるように構成されていると共に、
前記剥離部（１６、２１、３２、４２、６２、７６）においては、前記各梁部（１３、１４、７２、７３）の内面の前記電線（８）に接触する接触部（１６ａ、２１ａ、３２ａ、４２ａ、６２ａ、７６ａ）の厚み寸法が、前記電線（８）の挿入方向奥方に向けて次第に大きくなるように構成されている圧接端子。
【請求項１３】
前記剥離部（１６、２１、３２、４２、６２、７６）は、対向する前記梁部（１３、１４、７２、７３）間において平行に設けられている請求項１２記載の圧接端子。
【請求項１４】
前記剥離部（１６、３２、４２、６２、７６）の接触部（１６ａ、３２ａ、４２ａ、６２ａ、７６ａ）は、厚み方向の両側のうち一方の辺部が、該圧接端子（９、３１、４１、６１、７１）のいずれかの面と一致した状態で直線状に延びている請求項１２又は１３記載の圧接端子。
【請求項１５】
前記剥離部（２１）の接触部（２１ａ）は、厚み方向の両方の辺部が、該圧接端子（９、３１、４１、６１、７１）の面と不一致の状態で直線状に延びている請求項１２又は１３記載の圧接端子。
【請求項１６】
前記各梁部（１３、１４）の固定部（３３）のうち、前記剥離部（３２、４２）の接触部（３２ａ、４２ａ）の前記一方の辺部とは反対側の辺部に連なる稜部が、面取りされている請求項１４記載の圧接端子。
【発明の詳細な説明】
【技術分野】
【０００１】
本発明は、電線を圧接端子に嵌合して電気的接続を得るようにした電子装置及び圧接端子に関する。
【背景技術】
【０００２】
電子装置、例えば自動車等の車両に搭載されるモータにおいては、ステータの巻線と制御基板との間の電気的接続に圧接端子を用いることが行われる。この種の圧接端子は、例えば特許文献１に示すように、ばね性を有する板状の金具に嵌合用のスロットを有して構成されている。そして、絶縁被覆が付いたままの電線をスロットに挿入して嵌合させると、金具のスロットの両側の梁部分が、絶縁被覆を削り取るように剥がして導体を露出させ、その梁部が電線の導体に圧接して電気的接続が得られる。
【先行技術文献】
【特許文献】
【０００３】
【特許文献１】米国特許出願公開第２０１３／０１６４９６８号公報
【発明の概要】
【発明が解決しようとする課題】
【０００４】
ところで、上記のように、圧接端子のスロットに電線を嵌合させる際には、電線の絶縁被覆が削り取られると同時に、導体の一部も削り取られる事情がある。このとき、電線から削り取られた導体の一部が切断片となって分離してしまうと、その切断片が、周辺の電気回路部分に落下して電気的な影響を及ぼしてしまう虞が考えられる。
【０００５】
本発明は上記事情に鑑みてなされたもので、その目的は、圧接端子を用いて電線との電気的接続を得るものにあって、圧接端子のスロットに電線を嵌合させる際に、電線の導体の一部が分離して落ちることを効果的に防止することができる電子装置及び圧接端子を提供するにある。
【課題を解決するための手段】
【０００６】
上記目的を達成するために、本発明の電子装置は、導体（１０）の外周に絶縁被覆（１１）を備える電線（８）と、対向する２つの梁部（１３、１４、７２、７３）を有しそれら梁部（１３、１４、７２、７３）によって前記電線（８）が嵌合されるスロット（１２、７４）を形成する圧接端子（９、３１、４１、６１、７１）とからなる接続部（７、３５、５１）を備えるものであって、前記圧接端子（９、３１、４１、６１、７１）は、前記スロット（１２、７４）の入口側から奥部に向けて、幅広の導入部（１５、７５）、前記電線（８）の絶縁被覆（１１）を削り取るための剥離部（１６、２１、３２、４２、６２、７６）、該電線（８）を挟持する固定部（１７、３３、６３、７７）を順に有し、該電線（８）は、その途中部が、該スロット（１２、７４）の入口側から奥方に相対的に挿入されることにより、該圧接端子（９、３１、４１、６１、７１）に電気的に接続されるように構成されていると共に、前記剥離部（１６、２１、３２、４２、６２、７６）においては、前記各梁部（１３、１４、７２、７３）の内面の前記電線（８）に接触する接触部（１６ａ、２１ａ、３２ａ、４２ａ、６２ａ、７６ａ）の厚み寸法が、前記電線（８）の挿入方向奥方に向けて次第に大きくなるように構成されている。
【０００７】
これによれば、接続部においては、電線は、圧接端子のスロット内に挿入され、固定部にて、その両側の梁部部分に挟持されて固定及び電気的接続がなされる。この場合、圧接端子と電線との接続の際には、電線の途中部を圧接端子のスロット内に相対的に挿入していくと、電線は、まず、幅広の導入部で、スロット内に容易に進入していき、次の剥離部で、絶縁被覆が削り取られるようにしながら、固定部において、挟持された状態に固定される。これにより、電線は、導体が露出した部分で圧接端子に接触し、電気的接続が図られる。
【０００８】
ここで、電線が圧接端子の剥離部を通過する際に、絶縁被覆が削られると同時に、導体の一部も薄く削られていく事情がある。ところが、剥離部の内面の接触部の厚み寸法が、電線の挿入方向奥方に向けて次第に大きくなるように構成されている。そのため、電線が、剥離部を相対的に進むにつれて次第に削られる幅が拡がっていき、切り屑が厚み方向に幅広に拡がる形態になるようにして削られていく。
【０００９】
これにより、切断片の、電線本体（導体）とつながっている部分の大きさが次第に大きくなっていくので、導体から切り離されにくくなり、電線からの剥がれ落ちを抑えることができる。この結果、圧接端子を用いて電線との電気的接続を得るものにあって、圧接端子のスロットに電線を嵌合させる際に、電線の導体の一部が分離して落ちることを効果的に防止することができる。
【図面の簡単な説明】
【００１０】
【図１】第１の実施形態を示すもので、接続部の構成を概略的に示す正面図
【図２】図１のＡ−Ａ線に沿う接続部の断面図
【図３】一方の梁部における剥離部及び固定部を示す斜視図
【図４】一方の剥離部の側面図（ａ）及び切断片の生ずる様子を示す図（ｂ）
【図５】モータの構成を概略的に示す断面図
【図６】第２の実施形態を示すもので、一方の剥離部の側面図（ａ）及び切断片の生ずる様子を示す図（ｂ）
【図７】第３の実施形態を示すもので、一方の梁部における剥離部及び固定部を示す斜視図
【図８】両側の梁部における接触部及び面取り部の位置関係を示す図
【図９】接続部で切断片の生じている様子を示す横断面図
【図１０】第４の実施形態を示すもので、両側の梁部における接触部及び面取り部の位置関係を示す図
【図１１】第５の実施形態を示すもので、接続部部分を示す横断面図
【図１２】第６の実施形態を示すもので、剥離部及び固定部の側面図
【図１３】第７の実施形態を示すもので、圧接端子の正面図
【図１４】一方の梁部における剥離部及び固定部を示す斜視図
【発明を実施するための形態】
【００１１】
以下、本発明を、電子装置としての車載用のモータに適用したいくつかの実施形態について、図面を参照しながら説明する。尚、複数の実施形態間で、同一部分については同一符号を付して、新たな図示や繰返しの説明を省略することとする。
【００１２】
（１）第１の実施形態
図１から図５を参照して、第１の実施形態について述べる。図５は、本実施形態に係る電子装置としてのモータ１の構成を概略的に示している。このモータ１は、筐体２内に、上部に位置して制御基板３が設けられ、その下部にステータ４を有している。詳しく図示はしないが、前記制御基板３には、電子部品５が実装され、前記ステータ４（巻線）に対する通電を制御する通電制御回路が設けられている。
【００１３】
前記ステータ４には、インシュレータ６が設けられ、インシュレータ６上に、該ステータ４（巻線）と前記制御基板３とを電気的に接続するための接続部７が設けられる。この接続部７は、電線８と、この電線８が嵌合により接続される圧接端子９とを備えて構成されている。以下、前記接続部７を構成する電線８及び圧接端子９について、図１から図４も参照して詳述する。
【００１４】
即ち、図１に示すように、前記電線８は、導体１０の外周に、合成樹脂製の絶縁被覆１１を備えて構成されている。前記導体１０は、例えば１本の太い金属線材から構成されているが、細線を束ねて構成されるものであっても良い。この電線８は、基端部がステータ４の巻線に接続され、先端側が、圧接端子９に嵌合保持される。
【００１５】
前記圧接端子９は、例えば厚み寸法が１ｍｍ程度の金属製例えば銅や銅合金製の薄板からなり、図１で上下方向にやや長い矩形状に構成されると共に、前記電線８が嵌合されるスロット１２を有している。図２〜図４にも示すように、このスロット１２は、圧接端子９の図で上端を除く左右部位に対向して位置する梁部１３、１４によって形成されている。スロット１２は、圧接端子９の図１の下辺部にて開放し、上方に延びて設けられている。スロット１２の奥側端部は丸みを帯びた半円形状に構成されている。
【００１６】
このとき、図１に示すように、圧接端子９のスロット１２部分は、入口側（図で下側）から奥部（図で上方）に向けて、電線８を案内する幅広の導入部１５、前記電線８の絶縁被覆１１を削り取るための剥離部１６、該電線８を挟持する固定部１７を順に有して構成される。前記剥離部１６は、対向する梁部１３、１４間において平行に設けられている。この場合、導入部１５の幅寸法Ｗ１、剥離部１６の幅寸法Ｗ２、固定部の幅寸法Ｗ３、電線８の直径寸法Ｄの関係は、Ｗ１≧Ｄ＞Ｗ２≧Ｗ３とされている。電線８はスロット１２に対し、入口から矢印Ｓ方向に相対的に挿入されることにより、剥離部１６を通る際に絶縁被覆１１が削り取られ、固定部１７においては、絶縁被覆１１が剥離された導体１０が両側に接触し、電気的に接続された状態で固定される。
【００１７】
尚、図５に概略的に示すように、圧接端子９は、前記インシュレータ６に設けられた絶縁材製のホルダ部１８に対し、スロット１２の開口側を下にして上方から挿入されることにより保持されるようになっている。このとき、図示はしないが、電線８についても、圧接端子９の両側に位置して、保持部により保持される。また、前記圧接端子９の上部には、細幅の接続部９ａが制御基板３まで上方に延びて設けられ、該制御基板３に電気的に接続される。
【００１８】
さて、本実施形態では、前記圧接端子９の剥離部１６が以下のように構成されている。即ち、図２〜図４に左側の梁部１３を代表させて示すように、剥離部１６においては、前記各梁部１３、１４の内面つまりスロット１２を構成する面の、前記電線８に接触する接触部１６ａの、圧接端子９の厚み方向（図で前後方向）の寸法が、前記電線８の挿入方向奥方（図で上方）に向けて次第に大きくなるように構成されている。またこのとき、図２〜図４に示すように、剥離部１６の接触部１６ａにおいて、厚み方向の両側のうち一方の辺部、この場合後面側の辺部Ｌ１が、圧接端子９の後面と一致した状態で直線状に延びている。
【００１９】
従って、接触部１６ａの前面側の辺部Ｌ２が傾斜辺とされ、接触部１６ａは、いわば台形状の凸部となるように設けられている。また、図３に示すように、接触部１６ａの辺部Ｌ１と、固定部１７の後辺部Ｌ３とは、連続しながら一直線上に延びて配置されている。尚、詳しく図示はしないが、圧接端子９の右側の梁部１４の内面においても、剥離部１６の接触部１６ａが対称的（鏡面対称）に形成されている。従って、剥離部１６の接触部１６ａのうち、圧接端子９のいずれかの面（後面）と一致した状態で直線状に延びている辺部Ｌ１が、両側の梁部１３、１４において厚み方向の同じ側に夫々設けられている。
【００２０】
次に、上記構成の作用・効果について述べる。本実施形態のモータ１においては、電線８と圧接端子９とが接続部７にて接続されることにより、ステータ４に対する制御基板３による通電制御がなされる。電線８と圧接端子９とを接続するにあたっては、図１に示すように、例えば、電線８の端部の途中部を、圧接端子９の両面側で保持しながら、スロット１２の開口部側から奥方つまり矢印Ｓ方向に挿入する。
【００２１】
この挿入により、電線８は、まず、幅広の導入部１５によりスロット１２内に容易に進入していき、次の剥離部１６で、絶縁被覆１１が削り取られるようになる。そして、固定部１７に至ることにより、電線８が挟持された状態に固定される。これにより、電線８は、導体１０が露出した部分で圧接端子９の固定部１７の内面に接触し、電線８の固定及び電気的接続が図られる。この後、図５に示すように、電線８を固定した圧接端子９がホルダ部１８に保持される。
【００２２】
ここで、電線８が圧接端子９の剥離部１６を通過する際に、絶縁被覆１１が削られると同時に、導体１０の一部も薄く削られていく事情がある。この場合、電線８から削り取られた導体１０の一部（切り屑）が切断片となって電線８から分離し、周辺の電気回路部分に落下する虞が考えられる。ところが、本実施形態では、図４（ａ）に示すように、剥離部１６の内面の接触部１６ａの厚み寸法が、電線８の挿入方向奥方に向けて次第に大きくなるように構成されているので、図４（ｂ）に示すように、電線８が剥離部１６を相対的に進むにつれて、次第に削られる導体１０の幅が拡がっていき、切り屑（切断片１０ａ）が厚み方向に幅広に拡がる形態になるようにして削られていく。
【００２３】
このように、切断片１０ａの、電線８本体（導体１０）とつながっている部分の大きさが次第に大きくなっていくので、切断片１０ａが電線８から切り離されにくくなり、電線８からの剥がれ落ちを抑えることができる。この結果、本実施形態によれば、圧接端子９を用いて電線８との電気的接続を得るものにあって、圧接端子９のスロット１２に電線８を嵌合させる際に、電線８の導体１０の一部が分離して落ちることを効果的に防止することができるという優れた効果を奏する。
【００２４】
特に本実施形態では、圧接端子９の剥離部１６の接触部１６ａのうち、厚み方向の両側のうち後面側の辺部Ｌ１が、圧接端子９の後面と一致した状態で直線状に延びている。これにより、電線８が削られることに伴い生ずる導体１０の切断片１０ａは、接続部１６ａの斜面側の一方にだけ生ずるようになる。従って、切断片１０ａの電線８本体側とつながっている部分が大きい状態を確保することができ、切断片１０ａが導体１０からより切り離されにくくなる。
【００２５】
また本実施形態では、剥離部１６の接触部１６ａの直線状に延びている辺部Ｌ１が、左右両側の梁部１３、１４において厚み方向の同じ側に設けられている。これにより、剥離部１６により削られた導体１０の切断片１０ａが、スロット１２の両側において同じ方向に生ずる。更に本実施形態では、剥離部１６の接触部１６ａの後面側の辺部Ｌ１と、その辺部Ｌ１に連続する固定部１７の辺部Ｌ３とが、一直線上に延びて配置されている。これにより、電線８が圧接端子９の剥離部１６を通して固定部１７に相対的に進むことに伴い、電線８の導体１０の露出部が、梁部１３、１４の内面に接触した面接触状態が連続するようになり、低い接触抵抗で電線８を固定部１７に固定させることができる。
【００２６】
（２）第２の実施形態
図６は、第２の実施形態を示している。この第２の実施形態が、上記第１の実施形態と異なる点は、圧接端子の剥離部２１の構成にある。即ち、詳しく図示はしないが、圧接端子は、左右の梁部１３、１４によって形成されるスロット１２を有し、スロット１２部分は、入口側から奥部に向けて、電線８を案内する幅広の導入部１５、前記電線８の絶縁被覆１１を削り取るための剥離部２１、該電線８を挟持する固定部１７を順に有して構成される。前記剥離部２１は、対向する梁部１３、１４間において平行に設けられている。
【００２７】
前記剥離部２１は、やはり、電線８に接触する接触部２１ａの、圧接端子の厚み方向の寸法が、前記電線８の挿入方向奥方（図で上方）に向けて次第に大きくなるように構成されている。このとき、本実施形態では、剥離部２１の接触部２１ａにおいて、厚み方向の両側のうち後面側の辺部Ｌ４及び前面側の辺部Ｌ５の両方について、圧接端子の両面と不一致の状態で、共に傾斜しながら直線状に延びている。尚、前面側の辺部Ｌ５の方が、傾斜角度がやや大きく構成されている。
【００２８】
このような第２の実施形態においては、図６（ｂ）に示すように、剥離部２１で電線８が削られることに伴い生ずる導体１０の切断片１０ａは、接触部２１ａの厚み方向両側に生ずるようになる。この場合も、電線８が剥離部２１を相対的に進むにつれて、次第に削られる導体１０の幅が拡がっていき、切り屑（各切断片１０ａ）が厚み方向に幅広に拡がる形態になるようにして削られていく。従って、切断片１０ａが電線８から切り離されにくくなり、電線８の導体１０の一部が分離して落ちることを効果的に防止することができる。また、各切断片１０ａの大きさを小さく済ませることができ、大きな切断片として分離、落下することが未然に防止される。
【００２９】
（３）第３の実施形態
図７〜図９は、第３の実施形態を示している。この第３の実施形態が上記第１の実施形態と異なるところは、圧接端子３１の構成にある。即ち、詳しく図示はしないが、圧接端子３１は、左右の梁部１３、１４によって形成されるスロット１２を有し、スロット１２部分は、入口側から奥部に向けて、電線８を案内する幅広の導入部、前記電線８の絶縁被覆１１を削り取るための剥離部３２、該電線８を挟持する固定部３３を順に有して構成される。前記剥離部３２は、対向する梁部１３、１４間において平行に設けられている。
【００３０】
図７に示すように、剥離部３２においては、前記各梁部１３、１４の内面つまりスロット１２を構成する面の、前記電線８に接触する接触部３２ａの、圧接端子３１の厚み方向（図で前後方向）の寸法が、前記電線８の挿入方向奥方（図で上方）に向けて次第に大きくなるように構成されている。このとき、上記第１の実施形態と同様に、剥離部３２は、後面側の辺部Ｌ１が、圧接端子３１の後面と一致した状態で直線状に延びている。接触部３２ａの辺部Ｌ１と、固定部３３の後辺部Ｌ３とは、連続しながら一直線上に延びて配置されている。また、図８に模式的に示すように、両側の梁部１３、１４において、剥離部３２の接触部３２ａは、辺部Ｌ１が厚み方向の同じ側に配置されている。
【００３１】
そして、本実施形態では、図７〜図９に示すように、各梁部１３、１４の固定部３３のうち、前記剥離部３２の接触部３２ａの一方の辺部Ｌ１とは反対側の辺部Ｌ２に連なる稜部が、円弧状の曲面をなすように面取りされ、面取り部３４が形成されている。また、図７に示すように、面取り部３４は、剥離部３２の辺部Ｌ２の一部にまで渡って設けられている。尚、図９は、電線８と圧接端子３１とを接続する接続部３５部分を示しており、圧接端子３１の両側において電線８を保持する保持部３６が設けられている。
【００３２】
このような第３の実施形態の圧接端子３１においては、剥離部３２の内面の接触部３２ａの厚み寸法が、電線８の挿入方向奥方に向けて次第に大きくなるように構成されている。この場合、両側の梁部１３、１４において辺部Ｌ１が、厚み方向の同じ側に設けられているので、図９に示すように、剥離部３２により削られた導体１０の切断片１０ａは、スロット１２の左右両側において同じ方向に生ずるようになる。
【００３３】
このとき、本実施形態においても、上記第１の実施形態と同様に、切断片１０ａの、電線８本体（導体１０）とつながっている部分の大きさが次第に大きくなっていくので、切断片１０ａが電線８から切り離されにくくなり、電線８からの剥がれ落ちを抑えることができる。この結果、本実施形態によれば、電線８の導体１０の一部が分離して落ちることを効果的に防止することができる。
【００３４】
そしてその際、電線８が圧接端子３１の剥離部３２を通して固定部３３に相対的に進むことに伴い、剥離部３２において発生した切断片１０ａが、固定部３３の稜部に接触して押しのけられる事情がある。ところが、稜部に面取り部３４が形成されていることにより、図９に示すように、切断片１０ａに対する応力が稜部の角に集中して作用することなく応力緩和されるようになり、電線８本体から切断片１０ａをより分離しにくくする効果を得ることができる。
【００３５】
（４）第４、第５の実施形態
図１０は、第４の実施形態を示しており、圧接端子４１の構成が上記第３の実施形態などと異なっている。圧接端子４１は、左右の梁部１３、１４によって形成されるスロット１２を有し、スロット１２部分は、入口側から奥部に向けて、電線８を案内する幅広の導入部、前記電線８の絶縁被覆１１を削り取るための剥離部４２、該電線８を挟持する固定部を順に有して構成される。剥離部４２は、対向する梁部１３、１４間において平行に設けられている。そして、剥離部４２においては、電線８に接触する接触部４２ａの、圧接端子４１の厚み方向（図で前後方向）の寸法が、電線８の挿入方向奥方に向けて次第に大きくなるように構成されている。
【００３６】
このとき、本実施形態では、左右の梁部１３、１４のうち、例えば左側の梁部１３に関しては、上記第３の実施形態と同様に、接触部４２ａの後面側の辺部Ｌ１が、圧接端子４１の後面と一致した状態で、且つ固定部の後辺部と連続しながら直線状に延びている。接触部４２ａの前面側の辺部Ｌ２が傾斜して延びている。また、固定部のうち、辺部Ｌ１とは反対側の辺部Ｌ２に連なる稜部に面取り部４３が形成されている。
【００３７】
これに対し、左側の梁部１４においては、上記とは逆に、接触部４２ａの前面側の辺部Ｌ６が、圧接端子４１の前面と一致した状態で、且つ固定部の前辺部と連続しながら直線状に延びている。接触部４２ａの後面側の辺部Ｌ７が傾斜して延びている。固定部のうち、辺部Ｌ６とは反対側の辺部Ｌ７に連なる稜部に面取り部４３が形成されている。つまり、接触部４２ａのうち、圧接端子４１のいずれかの面と一致した状態で直線状に延びている辺部が、両側の梁部１３、１４において厚み方向の異なる側に設けられている。
【００３８】
この第４の実施形態においては、両側の梁部１３、１４において辺部Ｌ１が、厚み方向の異なる側に設けられているので、剥離部４２により削られた導体１０の切断片１０ａは、スロット１２の左右両側において異なる方向に生ずるようになる。このとき、本実施形態においても、上記第３の実施形態と同様に、切断片１０ａの、電線８本体（導体１０）とつながっている部分の大きさが次第に大きくなっていくので、切断片１０ａが電線８から切り離されにくくなり、電線８からの剥がれ落ちを抑えることができる。この結果、本実施形態によれば、電線８の導体１０の一部が分離して落ちることを効果的に防止することができる。
【００３９】
また、固定部の稜部に面取り部４３が形成されていることにより、剥離部４２において発生した切断片１０ａに対し、応力緩和がなされるようになり、電線８本体から切断片１０ａをより分離しにくくする効果を得ることができる。そして、剥離部４２により削られた導体１０の切断片１０ａが、スロット１２の両側において異なる方向に生ずるようになるので、上記第３の実施形態のように同一方向に生ずる場合に比べて、剥離部４２を通す際に電線８に作用する負荷、つまり切断片１０ａからの反力を小さくすることができる。ひいては、上記負荷による電線８の位置ずれの発生などを抑えることができる。
【００４０】
図１１は、第５の実施形態を示している。この実施形態では、第４の実施形態と同様の圧接端子４１が用いられているのであるが、接続部５１においては、圧接端子４１の厚み方向に対して、電線８の延びる方向が傾斜を有している。実際には、電線８の延びる方向に対して、圧接端子４１が傾斜をもって配置されている。これによれば、剥離部４２において削り取られた切断片１０ａの、電線８本体側とつながっている部分を、真直ぐの場合（図９参照）と比較して、大きい状態とすることができ、切断片１０ａをより切り離されにくくすることができる。
【００４１】
（５）第６の実施形態
図１２は、第６の実施形態を示しており、圧接端子６１の構成が上記第１の実施形態などと異なる。即ち、圧接端子６１のスロット１２部分は、入口側から奥部に向けて、電線８を案内する幅広の導入部、前記電線８の絶縁被覆１１を削り取るための剥離部６２、該電線８を挟持する固定部６３を順に有して構成される。前記剥離部６２は、対向する梁部１３、１４間において平行に設けられている。そして、剥離部６２においては、電線８に接触する接触部６２ａの、圧接端子６１の厚み方向の寸法が、電線８の挿入方向奥方に向けて次第に大きくなるように構成されている。
【００４２】
このとき本実施形態では、圧接端子６１は、剥離部６２の接触部６２ａの奥端部の幅寸法ａよりも、固定部６３の幅寸法ｂの方が小さく構成されている。この第６の実施形態においても、上記第１の実施形態等と同様に、切断片１０ａの、電線８本体（導体１０）とつながっている部分の大きさが次第に大きくなっていくので、電線８の導体１０の一部が分離して落ちることを効果的に防止することができる。そして、電線８が圧接端子６１の剥離部６２を通して固定部６３に相対的に進むことに伴い、剥離部６２において発生した切断片１０ａを、固定部６３から離間させた状態とすることができ、切断片１０ａが切り離されることを防止する効果をより高めることができる。
【００４３】
（６）第７の実施形態、その他の実施形態
図１３及び図１４は、第７の実施形態を示しており、上記第１の実施形態等と異なるところは、圧接端子７１の構成にある。この場合、圧接端子７１は金属例えば銅の薄板からなり、その形状に関しては、第１の実施形態の圧接端子９とほぼ同等である。即ち、圧接端子７１は、梁部７２、７３によって形成されるスロット７４を有し、スロット７４部分に、導入部７５、剥離部７６、固定部７７を順に有して構成される。前記剥離部７６は、対向する梁部７２、７３間において平行に設けられている。前記剥離部７６には、電線８に接触する接触部７６ａが、厚み方向の寸法が挿入方向奥方に向けて次第に大きくなるように設けられている。
【００４４】
そして、本実施形態では、前記剥離部７６の接触部７６ａの表面が、固定部７７の内面よりも硬質に構成されている。具体的には、圧接端子７１には、剥離部７６の接触部７６ａの表面を除く部位全体に、例えばニッケル−スズめっき等の比較的軟質なめっきによる表面処理が施されている。これにより、剥離部７６の接触部７６ａは、銅がむき出しの硬質面（図１４に便宜上ハッチングを付して示す）とされ、それ以外の圧接端子７１の表面が比較的軟質な軟質面とされているのである。この場合、硬質面とは、電線８の絶縁被覆１１よりも硬質である、つまり絶縁被覆１１を電線から削り取ることが可能な硬さの面である。
【００４５】
この第７の実施形態によれば、上記第１の実施形態などと同様に、圧接端子７１のスロット７４に電線８を嵌合させる際に、電線８の導体１０の一部が分離して落ちることを効果的に防止することができる。そして、剥離部７６の接触部７６ａの硬質な部分で、電線８の絶縁被覆１１を剥がすことができ、固定部７７においては、軟質な面で電線８と接触するようになり、接触抵抗を小さくすることができる。尚、上記とは逆に、圧接端子７１全体を比較的軟質な材料で構成し、剥離部７６の接触部７６ａの表面に、硬質金属のめっき処理を施すことにより、硬質面を設けるようにしても良い。
【００４６】
尚、上記した各実施形態に限定されるものでは無く、例えば圧接端子の全体の形状やスロットの形状等についても、様々な変更が可能である。また、剥離部や接触部、固定部などに関して、上記した複数の実施形態を適宜に組合せた構成としても良いことは勿論である。更には、電子装置の用途についても、車載用のモータに限らず、各種機器の電線の電気的な接続を行うもの全般に適用することができる。
【００４７】
本開示は、実施例に準拠して記述されたが、本開示は当該実施例や構造に限定されるものではないと理解される。本開示は、様々な変形例や均等範囲内の変形をも包含する。加えて、様々な組み合わせや形態、さらには、それらに一要素のみ、それ以上、あるいはそれ以下、を含む他の組み合わせや形態をも、本開示の範疇や思想範囲に入るものである。
【符号の説明】
【００４８】
図面中、１はモータ（電子装置）、７、３５、５１は接続部、８は電線、９、３１、４１、６１、７１は圧接端子、１０は導体、１０ａは切断片、１１は絶縁被覆、１２、７４はスロット、１３、１４、７２、７３は梁部、１５、７５は導入部、１６、２１、３２、４２、６２、７６は剥離部、１６ａ、２１ａ、３２ａ、４２ａ、６２ａ、７６ａは接触部、１７、３３、６３、７７は固定部、３４、４３は面取り部を示す。
【図１】
2020161469.tif 000003
【図２】
2020161469.tif 000004
【図３】
2020161469.tif 000005
【図４】
2020161469.tif 000006
【図５】
2020161469.tif 000007
【図６】
2020161469.tif 000008
【図７】
2020161469.tif 000009
【図８】
2020161469.tif 000010
【図９】
2020161469.tif 000011
【図１０】
2020161469.tif 000012
【図１１】
2020161469.tif 000013
【図１２】
2020161469.tif 000014
【図１３】
2020161469.tif 000015
【図１４】
2020161469.tif 000016